(57)【要約】【課題】Ｘ線管およびＸ線検出器の少なくとも一方を手動により移動させる際に、操作性が低下するのを抑制することが可能なＸ線撮影装置を提供する。【解決手段】このＸ線撮影装置１００は、Ｘ線管１１およびＸ線検出器１０の少なくとも一方が設けられ、移動可能な移動体１と、移動体１を移動可能に支持する移動機構２と、モータ５と、力覚センサ１２と、移動体１へ付与するアシスト量を変化させるようにモータ５のトルクを制御するトルク制御モードと、位置に基づいて移動体１を移動させるようにモータ５を制御する位置制御モードとを手動により移動体を移動させる操作を行うための操作の検出の有無に基づいて切り替える、モード切替制御を行う制御部３と、を備える。【選択図】図６
2020110234.tif 000002
【特許請求の範囲】
【請求項１】
被検体にＸ線を照射するＸ線管と、
前記被検体を透過したＸ線を検出するＸ線検出器と、
前記Ｘ線管および前記Ｘ線検出器の少なくとも一方が設けられ、所定方向に移動可能な移動体と、
前記移動体を所定方向に移動可能に支持する移動機構と、
前記移動機構に設けられたモータと、
前記移動体を移動させるために加えられた操作力を検出する操作力検出部と、
手動により前記移動体を移動させる操作の際に前記移動体へ付与するアシスト量を変化させるように前記モータのトルクを制御するトルク制御モードと、前記移動体の現在位置と移動目的位置とに基づいて前記移動体を移動させるように前記モータを制御する位置制御モードとを手動により前記移動体を移動させる操作を行うための操作の検出の有無に基づいて切り替える、モード切替制御を行う制御部と、を備える、Ｘ線撮影装置。
【請求項２】
前記所定方向における、前記移動体の移動を許可する状態と移動を禁止する状態とを切り替える移動可否切替部をさらに備え、
前記制御部は、手動により前記移動体を移動させる操作を行うための操作の検出の有無としての前記移動可否切替部の切り替え操作を検出したことに基づいて、前記モード切替制御を行うように構成されている、請求項１に記載のＸ線撮影装置。
【請求項３】
前記移動体に設けられた手動により前記移動体を移動させる操作の際に把持する把持部と、
前記把持部の近傍に設けられた複数のボタンとをさらに備え、
前記制御部は、前記ボタンの押下により、前記移動可否切替部の切り替えと前記トルク制御モードに切り替える前記モード切替制御を行い、前記ボタンの押下の解除により、前記移動可否切替部の切り替えと前記位置制御モードに切り替える前記モード切替制御を行うように構成されている、請求項２に記載のＸ線撮影装置。
【請求項４】
前記制御部は、手動により前記移動体を移動させる操作を行うための操作の検出の有無としての前記操作力検出部の操作力検出の有無に基づいて、前記モード切替制御を行うように構成されている、請求項１〜３のいずれか１項に記載のＸ線撮影装置。
【請求項５】
前記移動機構は、複数のレールを含むガイド部と、上下方向および前記ガイド部に沿った左右方向に前記移動体を移動可能に支持する移動体支持部と、を含み、
前記制御部は、前記トルク制御モードにおいて、前記移動体へ付与するアシスト量を変化させるように前記モータのトルクを制御して上下左右方向に前記移動体支持部を移動させ、前記位置制御モードにおいて、前記移動体の現在位置と移動目的位置とに基づいて前記移動体を上下左右方向に移動させるように前記モータを制御して前記移動体支持部を移動させるように構成されている、請求項１〜４のいずれか１項に記載のＸ線撮影装置。
【請求項６】
前記移動体の移動の操作を行うための入力装置をさらに備え、
前記制御部は、前記位置制御モードにおいて、前記入力装置の操作に基づいて、前記移動体をあらかじめ登録された位置に自動的に移動させるオートポジショニング制御を行うように構成されている、請求項１〜５のいずれか１項に記載のＸ線撮影装置。
【請求項７】
前記モータは、前記移動体へ付与するアシスト量を変化させるように前記モータのトルクを制御する前記トルク制御モードと、前記移動体の現在位置と移動目的位置とに基づいて前記移動体を移動させるように前記モータを制御する前記位置制御モードとを切り替え可能なサーボモータを含み、
前記制御部は、手動により前記移動体を移動させる操作を行うための操作の検出の有無に基づいて、前記モータの前記トルク制御モードと前記位置制御モードとを切り替えるように構成されている、請求項１〜６のいずれか１項に記載のＸ線撮影装置。
【発明の詳細な説明】
【技術分野】
【０００１】
本発明は、Ｘ線撮影装置に関する。
【背景技術】
【０００２】
従来、Ｘ線撮影装置が知られている（たとえば、特許文献１参照）。
【０００３】
上記特許文献１には、放射線源と、放射線検出手段と、放射線源を手動により移動させるための力を検出する操作部と、放射線源を移動させるサーボモータと、サーボモータを制御する制御部と、を備えるＸ線撮影装置が開示されている。上記特許文献１記載のＸ線撮影装置では、放射線源を手動により移動させる際に、制御部は、手動により移動させるための力に対応して、サーボモータを制御して操作補助（パワーアシスト）を行うように構成されている。この操作補助（パワーアシスト）において、制御部は、位置および速度による制御を行う位置制御を行っている。
【０００４】
また、上記特許文献１には、明確には記載されていないが、放射線源の現在位置とあらかじめ登録された移動目的位置とに基づいて、自動的に移動するオートポジショニング制御では、高精度の位置決めが要求されるため、目的位置とそこに至るまでの速度を制御する位置制御が必須である。つまり、オートポジショニング制御においても、上記特許文献１に記載の操作補助（パワーアシスト）と同様に位置および速度による制御を行う位置制御を行うことが従来知られている。
【先行技術文献】
【特許文献】
【０００５】
【特許文献１】特開２０１０−２２７３７６号公報
【発明の概要】
【発明が解決しようとする課題】
【０００６】
上記のように、従来では、オートポジショニング制御を、位置および速度による制御を行う位置制御により制御することにより、精度よく放射線源を移動させることが可能である。しかしながら、上記特許文献１に記載のＸ線撮影装置では、放射線源を手動により移動させる際においても、制御部は、手動により移動させるための力に対応して、位置および速度による制御を行う位置制御を行うことにより、パワーアシストを行うように制御している。これにより、手動により放射線源を移動させる場合には、手動により移動させるための操作力が速度に変換されて補助されるため、操作力が直接的な力ではなく、間接的な速度によりアシストされる。このため、操作に違和感が生じるという不都合がある。その結果、操作者が手動により放射線源を移動させる場合に、操作性が低下するという問題点がある。
【０００７】
この発明は、上記のような課題を解決するためになされたものであり、この発明の１つの目的は、Ｘ線管およびＸ線検出器のうち少なくとも一方を自動で移動させる際に精度よく移動させることができるとともに、Ｘ線管およびＸ線検出器の少なくとも一方を手動により移動させる際に操作性が低下するのを抑制することが可能なＸ線撮影装置を提供することである。
【課題を解決するための手段】
【０００８】
この発明の一の局面におけるＸ線撮影装置は、被検体にＸ線を照射するＸ線管と、被検体を透過したＸ線を検出するＸ線検出器と、Ｘ線管およびＸ線検出器の少なくとも一方が設けられ、所定方向に移動可能な移動体と、移動体を所定方向に移動可能に支持する移動機構と、移動機構に設けられたモータと、移動体を移動させるために加えられた操作力を検出する操作力検出部と、手動により移動体を移動させる操作の際に移動体へ付与するアシスト量を変化させるようにモータのトルクを制御するトルク制御モードと、移動体の現在位置と移動目的位置とに基づいて移動体を移動させるようにモータを制御する位置制御モードとを手動により移動体を移動させる操作を行うための操作の検出の有無に基づいて切り替える、モード切替制御を行う制御部と、を備える。
【０００９】
この発明の一の局面によるＸ線撮影装置では、手動により移動体を移動させる操作の際に移動体へ付与するアシスト量を変化させるようにモータのトルクを制御するトルク制御モードと、移動体の現在位置と移動目的位置とに基づいて移動体を移動させるようにモータを制御する位置制御モードとを手動により移動体を移動させる操作を行うための操作の検出の有無に基づいて切り替える、モード切替制御を行う制御部を設ける。これにより、Ｘ線管およびＸ線検出器の少なくとも一方を手動により移動させる場合には、モータの発生トルクを制御するトルク制御モードに切り替えることにより、移動体を移動させるために加えられた操作力に対して、モータのトルク（駆動力）を制御して力をアシストすることができる。そのため、操作力が直接的な力（トルク）によりアシストされるので、違和感のない良好なパワーアシストを行うことができる。その結果、Ｘ線管およびＸ線検出器の少なくとも一方を手動により移動させる際に、操作性が低下するのを抑制することができる。また、移動体の現在位置とあらかじめ登録された移動目的位置とに基づいて、自動的に移動するオートポジショニング制御時において、高精度な位置制御が可能な位置制御モードに切り替えることができる。その結果、オートポジショニング制御時において、高精度な位置制御を行うことができる。これらにより、Ｘ線管およびＸ線検出器のうち少なくとも一方を自動で移動させる際に精度よく移動させることができるとともに、Ｘ線管およびＸ線検出器の少なくとも一方を手動により移動させる際に操作性が低下するのを抑制することができる。また、制御部は、手動により移動体を移動させる操作を行うための操作の検出の有無に基づいて、モード切替制御を行うので、操作者が手動により移動体を移動させる操作を行うための操作を行ったか否かにより、モード切替制御が行われる。これにより、操作者は、手動により移動体を移動させる操作を行う場合に、確実にトルク制御モードに切り替えることができる。その結果、制御モードの切り替えを容易に行うことができる。
【００１０】
この発明の一の局面によるＸ線撮影装置おいて、好ましくは、所定方向における、移動体の移動を許可する状態と移動を禁止する状態とを切り替える移動可否切替部をさらに備え、制御部は、手動により移動体を移動させる操作を行うための操作の検出の有無としての移動可否切替部の切り替え操作を検出したことに基づいて、モード切替制御を行う。このように構成すれば、移動を許可する状態に切り替える操作を行うことにより、制御モードも、トルク制御モードに切り替えることができる。また、移動を禁止する状態に切り替える操作を行うことにより、制御モードも、位置制御モードに切り替えることができる。その結果、制御モードを切り替えるための操作を別途行う場合に比べて、撮影手順（操作者の作業負担）が増加するのを抑制することができる。
【００１１】
この場合、好ましくは、移動体に設けられた手動により移動体を移動させる操作の際に把持する把持部と、把持部の近傍に設けられた複数のボタンとをさらに備え、制御部は、ボタンの押下により、移動可否切替部の切り替えとトルク制御モードに切り替えるモード切替制御を行い、ボタンの押下の解除により、移動可否切替部の切り替えと位置制御モードに切り替えるモード切替制御を行う。このように構成すれば、制御モードを切り替えるために別途ボタンを設ける場合に比べて、部品点数が増加するのを抑制することができるとともに、装置構成が複雑化するのを抑制することができる。
【００１２】
この発明の一の局面によるＸ線撮影装置おいて、好ましくは、制御部は、手動により移動体を移動させる操作を行うための操作の検出の有無としての操作力検出部の操作力検出の有無に基づいて、モード切替制御を行う。このように構成すれば、手動により移動体を移動させるだけで制御モードを切り替えることができるので、制御モードを切り替えるために別途ボタンを設ける場合と異なり、部品点数が増加するのを抑制することができるとともに、装置構成が複雑化するのを抑制することができる。
【００１３】
この発明の一の局面によるＸ線撮影装置おいて、好ましくは、移動機構は、複数のレールを含むガイド部と、上下方向およびガイド部に沿った左右方向に移動体を移動可能に支持する移動体支持部と、を含み、制御部は、トルク制御モードにおいて、移動体へ付与するアシスト量を変化させるようにモータのトルクを制御して上下左右方向に移動体支持部を移動させ、位置制御モードにおいて、移動体の現在位置と移動目的位置とに基づいて移動体を上下左右方向に移動させるようにモータを制御して移動体支持部を移動させる。このように構成すれば、移動体を支持している移動体支持部が、ガイド部のレールに沿って、移動するので、移動体および移動体支持部を安定して移動させることができる。また、移動体および移動体支持部の重量が重い場合であっても、移動体および移動体支持部をガイド部のレールに沿って、移動させることができるので、手動により移動体を移動させる操作の際にも移動体および移動体支持部を容易に移動させることができる。
【００１４】
この発明の一の局面によるＸ線撮影装置おいて、好ましくは、移動体の移動の操作を行うための入力装置をさらに備え、制御部は、位置制御モードにおいて、入力装置の操作に基づいて、移動体をあらかじめ登録された位置に自動的に移動させるオートポジショニング制御を行う。このように構成すれば、高精度な位置制御が可能な位置制御モードに切り替えた状態でオートポジショニング制御を行うことができるので、操作者は、移動体を容易かつ高精度に目的位置に移動させることができる。
【００１５】
この発明の一の局面によるＸ線撮影装置おいて、好ましくは、モータは、移動体へ付与するアシスト量を変化させるようにモータのトルクを制御するトルク制御モードと、移動体の現在位置と移動目的位置とに基づいて移動体を移動させるようにモータを制御する位置制御モードとを切り替え可能なサーボモータを含み、制御部は、手動により移動体を移動させる操作を行うための操作の検出の有無に基づいて、モータのトルク制御モードと位置制御モードとを切り替える。このように構成すれば、トルク制御モードと位置制御モードとの駆動を共通のモータにより、行うことができるので、トルク制御モードおよび位置制御モード毎にモータを別個に設ける場合と比べて、部品点数が増加するのを抑制することができるとともに、装置構成が複雑化するのを抑制することができる。
【発明の効果】
【００１６】
本発明によれば、上記のように、Ｘ線管およびＸ線検出器のうち少なくとも一方を自動で移動させる際に精度よく移動させることができるとともに、Ｘ線管およびＸ線検出器の少なくとも一方を手動により移動させる際に操作性が低下するのを抑制することが可能なＸ線撮影装置を提供することができる。
【図面の簡単な説明】
【００１７】
【図１】本発明の一実施形態によるＸ線撮影装置の全体構成を示した模式図である。
【図２】本発明の一実施形態によるＸ線撮影装置の全体構成を示したブロック図である。
【図３】本発明の一実施形態によるＸ線撮影装置の移動体と移動機構の構成を示した図である。
【図４】本発明の一実施形態によるＸ線撮影装置の移動体の構成を示した図である。
【図５】本発明の一実施形態によるＸ線撮影装置の移動体支持部内部の構成と制御部との接続を示したブロック図である。
【図６】本発明の一実施形態によるＸ線撮影装置の制御部によるモード切替処理を説明するためのフローチャートである。
【発明を実施するための形態】
【００１８】
以下、本発明を具体化した実施形態を図面に基づいて説明する。
【００１９】
（Ｘ線撮影装置の構成）
まず、図１を参照して、本発明の一実施形態によるＸ線撮影装置１００の全体構成について説明する。
【００２０】
図１では、撮影室１０１に設置された天井懸垂型のＸ線撮影装置１００の例を示している。Ｘ線撮影装置１００は、移動体１と、移動機構２と、制御部３と、リモコン４と、Ｘ線検出器１０とを主として備える。なお、リモコン４は、特許請求の範囲の「入力装置」の一例である。
【００２１】
天井懸垂型のＸ線撮影装置１００では、移動機構２によって、Ｘ線管１１を有する移動体１が天井から吊り下げるように支持される。移動体１は、移動機構２によって撮影室１０１内で移動可能に支持されている。
【００２２】
また、Ｘ線撮影装置１００は、医用Ｘ線撮影装置であり、撮影対象である被検体２００をＸ線撮影するように構成されている。Ｘ線撮影装置１００は、被検体２００を横たわらせた姿勢（臥位）で撮影を行うための撮影テーブル８と、被検体２００を起立させた姿勢（立位）で撮影を行うための撮影スタンド９とを備えている。
【００２３】
撮影テーブル８および撮影スタンド９には、それぞれＸ線検出器１０が移動可能に保持されている。Ｘ線検出器１０は、たとえばＦＰＤ（フラットパネルディテクタ）により構成されており、被検体２００を透過したＸ線を検出する。ガイド部２２は、少なくとも、撮影テーブル８を用いた臥位での撮影位置（図１の実線参照）と、撮影スタンド９を用いた立位での撮影位置（図１の二点鎖線参照）との間で、移動体１を移動させることが可能である。
【００２４】
臥位の撮影では、移動体１が、撮影テーブル８のＸ線検出器１０と上下方向に対向する位置に配置され、上下方向に対向するＸ線管１１とＸ線検出器１０との間で、撮影テーブル８上に横臥された被検体２００が撮影される。立位の撮影では、移動体１が、撮影スタンド９のＸ線検出器１０と水平方向に対向する位置に配置され、水平方向に対向するＸ線管１１とＸ線検出器１０との間で、撮影スタンド９の前に起立した被検体２００が撮影される。また、Ｘ線撮影装置１００は、持ち運び可能なＸ線検出器１０を撮影室１０１内の任意の位置に配置し、移動体１をＸ線検出器１０と対向する位置に移動させることにより、任意の姿勢の被検体２００を任意の方向から撮影可能な一般撮影（姿勢を特定しない撮影）を行うことが可能である。
【００２５】
また、Ｘ線撮影装置１００は、制御部３およびリモコン４を備えている。制御部３は、ＣＰＵ（Ｃｅｎｔｒａｌ  Ｐｒｏｃｅｓｓｉｎｇ  Ｕｎｉｔ）およびメモリを備えている。制御部３は、Ｘ線管１１およびＸ線検出器１０によるＸ線撮影の制御や、移動体１の移動に関する制御および切替制御（移動可否切替制御、モード切替制御）を行う。リモコン４は、移動体１の移動の操作を行うために、設けられている。リモコン４は、Ｘ線撮影に関わる入力操作を受け付ける機能を有する。入力操作は、オートポジショニング制御、Ｘ線撮影の撮影条件設定およびＸ線照射の開始指示などである。
【００２６】
（移動体）
図２〜図４に示すように、移動体１は、Ｘ線管１１と、力覚センサ１２と、複数のボタン１３と、把持部１４と、コリメータ１５と、タッチパネル１６とを含んでいる。なお、力覚センサ１２は、特許請求の範囲の「操作力検出部」の一例である。移動体１は、手動による移動または制御部３による後述する制御によって、複数方向（所定方向）に移動可能に構成されている。
【００２７】
Ｘ線管１１は、図示しない電源から高電圧が印加されることによりＸ線を発生させ、被検体２００にＸ線を照射する。
【００２８】
力覚センサ１２は、移動体１に配置されており、移動体１に加えられた各方向の力およびモーメントを検出することが可能である。これにより、力覚センサ１２は、移動体１に加えられた操作力を検出する操作力検出部として機能する。
【００２９】
より具体的には、力覚センサ１２は、操作者が手動により移動体１を移動させるために加えた水平および垂直の各並進方向（Ｘ、Ｙ、Ｚ方向）の力を検出するように構成されている。また、力覚センサ１２は、移動体１に加えられた水平軸（Ｒ軸）回りおよび垂直軸（Ｚ軸）回りの各回転方向（θ、η方向）のモーメントを検出するように構成されている。力覚センサ１２は、加えられた力およびモーメントの各検出方向成分を検出して、力およびモーメントの方向と、力およびモーメントの大きさとを計測することが可能である。力覚センサ１２の検出結果は、制御部３によって取得される。
【００３０】
ボタン１３は、移動体１に複数配置された後述する移動可否切替制御を行うために、操作者が押下する物理ボタンであり、移動体１の把持部１４の近傍（把持部１４もしくは把持部付近）に複数設けられる。
【００３１】
把持部１４は、移動体１に設けられている。把持部１４は、操作者が、手動により移動体１を移動させる操作を行う際に把持するために設けられており、操作者の操作力を移動体１に伝える。
【００３２】
コリメータ１５は、位置調整可能な複数の遮蔽板（コリメータリーフ）を有し、Ｘ線管１１からのＸ線の一部を遮蔽することにより、Ｘ線の照射野を調整する機能を有する。
【００３３】
タッチパネル１６は、Ｘ線撮影の撮影条件や術式を表示し、操作者からの入力操作を受付可能なタッチパネルである。
【００３４】
（移動機構）
図１および３に示すように、移動機構２は、移動体１を複数方向（所定方向）に移動可能に支持する移動体支持部２１と、複数のレールを含むガイド部２２を備える。
【００３５】
移動機構２（移動体支持部２１、ガイド部２２）により移動体１は、複数方向に移動が可能である。図1および図３に示すように、鉛直（垂直）方向をＺ方向とし、水平方向で互いに直交する２方向をＸ方向、Ｙ方向とする。
【００３６】
本実施形態では、移動機構２（移動体支持部２１、ガイド部２２）により移動体１が移動できる複数方向は、図３に示すように、３つの並進方向（Ｘ、ＹおよびＺ方向）と、垂直方向のＺ軸回りの回転方向（η方向）と、水平方向のＲ軸回りの回転方向（θ方向）との、合計５方向を含む例を示す。
【００３７】
移動体支持部２１は、図１に示すように、回転保持部２１３と、支柱２１１と、ベース部２１２と、を含む。また、図２に示すように、移動機構２（移動体支持部２１）の内部には、モータ５が設けられている。
【００３８】
モータ５は、移動体１へ付与するアシスト量を変化させるようにモータ５のトルクを制御するトルク制御モードと、移動体１の現在位置と移動目的位置とに基づいて移動体１を移動させるようにモータ５を制御する位置制御モードとを切り替え可能なサーボモータであり、各軸に対応して設けられている。
【００３９】
図１に示すように、支柱２１１は、移動体１を垂直方向へ並進移動可能に保持する。支柱２１１は、ガイド部２２に取り付けられたベース部２１２から吊り下がるように設けられ、Ｚ方向（上下方向）に伸縮可能である。これらの構成により、移動体支持部２１は、移動体１を３つの並進方向（Ｘ、ＹおよびＺ方向）へ移動可能に支持する。また、支柱２１１の先端（下端）には、回転保持部２１３が設けられている。
【００４０】
回転保持部２１３は、垂直軸（Ｚ軸）回りのη方向に回転移動可能に支柱２１１に支持される。Ｚ軸は、支柱２１１の中心軸線に一致する。回転保持部２１３は、一端側が支柱２１１に接続されるとともに、移動体１を水平軸（Ｒ軸）回りのθ方向に回転移動可能に保持している。Ｒ軸は、支柱２１１の半径方向（水平方向）である。これらの構成により、移動体支持部２１は、移動体１を２つの回転方向（ηおよびθ方向）へ移動可能に支持する。
【００４１】
回転保持部２１３は、移動体１と一体となって複数方向（Ｘ、Ｙ、Ｚ、η、θ）に移動するので、操作者は、把持部１４を持って力を加えることにより、移動体１を複数方向（Ｘ、Ｙ、Ｚ、η、θ）に移動させることができる。
【００４２】
また、移動体支持部２１は、図５に示すように、各軸のモータ５に設けられたエンコーダ５１と、移動可否切替部６と、位置検出部７と、を含んでいる。
【００４３】
各エンコーダ５１は、各軸方向における移動体１の相対位置を検出する。各エンコーダ５１の出力信号に基づいて、移動体１のＸ線管１１の現在位置（Ｘ、Ｙ、Ｚ方向の各位置、および、η、θ方向の各回転角度）を求めることが可能である。また、各エンコーダ５１の出力信号は、制御部３に送られ、位置情報として、移動体１の移動の制御に用いられる。
【００４４】
移動可否切替部６は、制御部３の制御により、複数方向の各々における、移動体１の移動を許可する状態と移動を禁止する状態とを切り替える。
【００４５】
位置検出部７は、各軸に設けられたポテンショメータを含んでいる。また、位置検出部７は、移動体１の移動により、出し引きされたワイヤーの長さを電気的に出力することにより、移動体１の絶対位置を検出する。また、各ポテンショメータの出力信号は、制御部３に送られ、位置情報として、移動体１の移動の制御に用いられる。
【００４６】
ガイド部２２は、図１に示すように、撮影室１０１の天井に設けられている。ガイド部２２は、複数のレールを含み、移動体支持部２１をＸ方向およびＹ方向に並進移動可能に支持する。これらの構成により、移動体支持部２１は、ガイド部２２に沿ったＸ方向およびＹ方向（左右方向）に移動体１を移動可能に支持する。
【００４７】
具体的には、図３に示すように、ガイド部２２は、天井面に固定された固定レール２２１と、可動レール２２２とを含む。固定レール２２１は、Ｘ方向に直線状に延びる。固定レール２２１には、可動レール２２２がＸ方向に移動可能に取り付けられている。可動レール２２２は、Ｙ方向に直線状に延びる。可動レール２２２には、支柱２１１のベース部２１２がＹ方向に移動可能に取り付けられている。
【００４８】
（アシスト手段）
手動により移動体１を移動させる際にアシストを付与するアシスト手段を図５を参照して説明する。
【００４９】
移動体支持部２１（ベース部２１２）は、Ｘ軸用のモータ５と、Ｘ軸用の伝達機構（図示せず）とを含む。Ｘ軸用の伝達機構は、たとえば、ベルト−プーリ機構を含んでいる。Ｘ軸用のモータ５が回転駆動することにより、一対の可動レール２２２（移動体１）に対してＸ方向にアシスト力を付与する。
【００５０】
移動体支持部２１（ベース部２１２）は、Ｙ軸用のモータ５と、Ｙ軸用の伝達機構（図示せず）とを含む。Ｙ軸用の伝達機構は、たとえば、Ｘ軸用の伝達機構と同様、ベルト−プーリ機構を含んでいる。Ｙ軸用のモータ５が回転駆動することにより、支柱２１１（移動体１）に対してＹ方向にアシスト力を付与する。
【００５１】
移動体支持部２１（ベース部２１２）は、Ｚ軸用のモータ５と、Ｚ軸用の伝達機構（図示せず）とを含む。Ｚ軸用の伝達機構は、たとえば、支柱２１１の下端部の回転保持部２１３に接続された図示しないワイヤーを備えた巻き上げ機構である。Ｚ軸用のモータ５がワイヤーを巻き上げ駆動することにより、回転保持部２１３（移動体１）に対してＺ方向のアシスト力を付与する。
【００５２】
移動体支持部２１（支柱２１１）は、回転保持部２１３をＺ軸回りに回転駆動するη軸用のモータ５を含む。η軸用のモータ５は回転保持部２１３に直結されている必要はなく、減速機などが設けられていてもよい。η軸用のモータ５は、回転保持部２１３（移動体１）に対してη方向にアシスト力を付与する。
【００５３】
移動体支持部２１（支柱２１１）は、移動体１をＲ軸回りに回転駆動するθ軸用のモータ５を含む。θ軸用のモータ５は移動体１に直結されている必要はなく、減速機などが設けられていてもよい。θ軸用のモータ５は、移動体１に対してθ方向にアシスト力を付与する。
【００５４】
各モータ（Ｘ軸、Ｙ軸、Ｚ軸、η軸、θ軸）の各々には、エンコーダ５１が接続されている。また、各モータ（Ｘ軸、Ｙ軸、Ｚ軸、η軸、θ軸）の動作は、制御部３によって制御される。
【００５５】
制御部３は、力覚センサ１２により検出された操作力に基づいて、移動体１の移動方向に向かうアシスト力を移動体１に付与するように構成されている。制御部３は、アシスト力を付与する方向に対応するモータ５（Ｘ軸、Ｙ軸、Ｚ軸、η軸、θ軸）を個別に駆動する制御により、移動体１の移動方向に向かうアシスト力を発生させる。
【００５６】
（移動可否切替部）
図５に示すように、移動可否切替部６は、移動体支持部２１の内部に設けられる。移動可否切替部６は、複数方向の各々に対応して、移動機構２（移動体１）の移動をロックする複数のロック機構を含む。
【００５７】
具体的には、ロック機構として、電磁ロック（電磁ブレーキ）が設けられている。ロック機構としては、油圧式や機械式のブレーキなどであってもよい。各電磁ロックは、複数方向の各々における、移動体１の移動を解除可能にロックするように構成されている。
【００５８】
電磁ロックは、Ｘ、Ｙ、Ｚ、η、θ方向の複数方向に個別に設けられている。各電磁ロックは、Ｘ、Ｙ、Ｚ、η、θ方向の各々のロック／ロック解除を個別に切り替えることが可能である。これにより、移動可否切替部６は、複数方向の各々への移動体１のロック解除状態（移動を許可する状態）と、各方向への移動体１のロック状態（移動を禁止する状態）とに切り替え可能に構成されている。
【００５９】
移動可否切替部６は、常時、複数方向の各々における移動体１の移動を禁止する状態に維持している。そして、移動可否切替部６は、制御部３により決定された方向について、個別に移動体１の移動を許可する状態に切り替えるように構成されている。また、各電磁ロックの動作は、制御部３によって制御される。
【００６０】
ロック状態とロック解除状態との切り替えは、ボタン１３の入力操作によって行われる。移動体１には、複数方向（Ｘ、Ｙ、Ｚ、η、θ）の各々について、個別にロック状態とロック解除状態とを切り替えるための複数のボタン１３（ロック解除ボタン）が設けられている。
【００６１】
制御部３は、各ボタン１３の入力操作に基づいて、移動体１の移動を許可する方向を決定する制御を行うことが可能である。制御部３は、入力操作が行われたボタン１３に対応する方向に基づいて移動を許可する方向を個別に切り替える制御を行うように構成されている。
【００６２】
また、複数の電磁ロックをロック解除し、複数方向への移動体１の移動を許可させる複数方向解除モードや全方向への移動体１の移動を許可させるフリーモードを設けてもよい。その際、移動体１には、それぞれのモード切り替え用ボタンとして、複数方向解除モードボタン（図示せず）やフリーモードボタン（図示せず）を別途設けてもよい。
【００６３】
制御部３は、複数方向解除モードボタン（もしくはフリーモードボタン）の入力操作を受け付けると、複数の電磁ロック（もしくは全ての電磁ロック）をロック解除状態に切り替える制御を開始する。この場合、操作者は、把持部１４を把持して移動体１を複数方向（もしくは全方向）へ自由に移動させることが可能となる。
【００６４】
複数方向解除モード（もしくはフリーモード）の制御を開始した場合、制御部３は、操作者の設定解除操作、または、複数方向への移動を許可してからの時間経過に基づいて、電磁ロックにより複数方向への移動を禁止する状態に切り替える。操作者の設定解除操作としては、たとえば、複数方向解除モードボタン（もしくはフリーモードボタン）が一度入力されて、複数方向解除モード（もしくはフリーモード）に移行した後、再度、複数方向解除モードボタン（もしくはフリーモードボタン）が入力された場合や、専用の解除ボタン（図示せず）が入力された場合が含まれる。
【００６５】
（トルク制御モード）
トルク制御モードは、手動により移動体１を移動させる操作の際に用いられ、操作力に基づいて、パワーアシスト制御を行う。トルク制御モードでは、制御部３は、移動体１へ付与するアシスト量を変化させるようにモータ５のトルクを制御する。制御部３の制御により、モータ５は、力覚センサ１２（操作力検出部）で検出された力の大きさに応じたアシスト量の力を移動体１に付与する。
【００６６】
具体的には、トルク制御モードでは、操作者が把持部１４を把持して移動体１を移動させるべく移動方向に向けて力を加えると、制御部３は、力覚センサ１２（操作力検出部）によって操作力を検出する。さらに、制御部３は、検出された操作力を移動体１の自重、装置による影響を補正し、各方向の操作力に変換する。そして、制御部３は、式（１）のように、変換された操作力に対してアシスト比を乗じたアシスト力が発生するように移動体支持部２１の各軸に設けられたモータ５のトルクを制御する。
Ｍａ＝ｆh−Ｆr＋αｆh・・・（１）
なお、Ｍは移動部分（移動体１と、移動機構２の各軸の移動の際に移動する部位）の質量、ａは加速度、ｆhは移動体１に加えられる操作力、Ｆrは抵抗力、αは操作力に対するアシスト量の比である。Ｍはたとえば、数百ｋｇである。αはたとえば、２以上１０以下程度である。つまり、操作力に対して２倍以上１０倍以下程度の力が、アシスト付与される。こうして、移動体１へ付与するアシスト量を変化させるようにモータ５のトルクを制御して、Ｘ、Ｙ、Ｚ方向（上下左右方向）およびη、θ方向に移動体１（移動体支持部２１）を移動させる。
【００６７】
（位置制御モード）
位置制御モードは、オートポジショニング制御などに用いられる。位置制御モードでは、制御部３は、移動体１の現在位置と移動目的位置とに基づいて移動体１を移動させるようにモータ５を制御する。移動体１の各軸方向における絶対位置（現在位置）は、各軸に設けられた上記位置検出部７（ポテンショメータ）により検出する。また、必要に応じて、各軸に設けられた上記エンコーダ５１により、移動中の相対距離を参照する。移動速度の制御は、制御部３により、移動体支持部２１の各軸に設けられたモータ５の回転速度を制御することで行われる。こうして、移動体１の現在位置と移動目的位置とに基づいて移動体１をＸ、Ｙ、Ｚ方向（上下左右方向）およびη、θ方向に移動させるようにモータ５を制御して移動体支持部２１を移動させる。これにより、オートポジショニング制御では、位置検出部７により、検出された移動体１の現在位置とあらかじめ登録された位置とに基づいて、制御部３で指定された速度で、移動体１を自動的に移動させることができる。なお、オートポジショニング制御の開始の指示は、リモコン４などの入力操作により行われる。
【００６８】
（モード切替制御）
次に、図６を参照して、本実施形態の制御部３による、モード切替制御をフローチャートに基づいて説明する。
【００６９】
ステップ３０１において、制御部３は、ロック解除ボタン（ボタン１３）が押下されているか否かを判断する。制御部３は、手動により移動体１を移動させる操作を行うための操作の有無として、ロック解除ボタンの押下の有無を検出し、トルク制御モードに切り替えるか位置制御モードに切り替えるかを判断する。ロック解除ボタンが押下されていた場合、ステップ３０２に進み、ロック解除ボタンが押下されていない場合、ステップ３０３に進む。
【００７０】
ステップ３０２において、制御部３は、制御モードをトルク制御モードに切り替え、ステップ３０３に進む。これは、制御部３が、モータ５（サーボモータ）に制御信号を送り、モータ５（サーボモータ）の制御モードを移動体１へ付与するアシスト量を変化させるようにモータ５のトルクを制御するトルク制御モードに切り替えることでトルク制御モードへの切り替えが完了する。
【００７１】
ステップ３０３において、制御部３は、パワーアシスト制御を実行し、ステップ３０１に戻り、処理を繰り返す。
【００７２】
ステップ３０４において、制御部３は、制御モードを位置制御モードに切り替え、ステップ３０５に進む。これは、制御部３が、モータ５（サーボモータ）に制御信号を送り、モータ５（サーボモータ）の制御モードを移動体１の現在位置と移動目的位置とに基づいて移動体１を移動させるようにモータ５を制御する位置制御モードに切り替えることでへの切り替えが完了する。
【００７３】
ステップ３０５において、制御部３は、リモコン操作がされているか否かを判断する。リモコン４により操作がされている場合は、ステップ３０６に進む。リモコン４により操作がされていない場合は、ステップ３０１に戻り、処理を繰り返す。
【００７４】
ステップ３０６において、制御部３は、オートポジショニング制御を実行する。オートポジショニング制御が完了すると、ステップ３０１に戻り、処理を繰り返す。
【００７５】
以上の処理を繰り返すことにより、手動により移動体１を移動させる操作を行うための操作の検出がされた場合に、制御モードを切り替える、モード切替制御の制御動作が実現される。なお、何も操作されていない場合（ロック解除ボタンが押下されず、リモコン４により操作されていない場合）では、制御部３は、制御モードを位置制御モードに切り替えた状態に保持する。
【００７６】
（本実施形態の効果）
本実施形態では、以下のような効果を得ることができる。
【００７７】
本実施形態では、上記のように、手動により移動体１を移動させる操作の際に移動体１へ付与するアシスト量を変化させるようにモータ５のトルクを制御するトルク制御モードと、移動体１の現在位置と移動目的位置とに基づいて移動体１を移動させるようにモータ５を制御する位置制御モードとを手動により移動体１を移動させる操作を行うための操作の検出の有無に基づいて切り替える、モード切替制御を行う制御部３を設ける。これにより、Ｘ線管１１を手動により移動させる場合には、モータ５の発生トルクを制御するトルク制御モードに切り替えることにより、移動体１を移動させるために加えられた操作力に対して、モータ５のトルク（駆動力）を制御して力をアシストすることができる。そのため、操作力が直接的な力（トルク）によりアシストされるので、違和感なく操作することができる。その結果、Ｘ線管１１を手動により移動させる際に、操作性が低下するのを抑制することができる。また、移動体１の現在位置とあらかじめ登録された移動目的位置に基づいて、自動的に移動するオートポジショニング制御時において、高精度な位置制御が可能な位置制御モードに切り替えることができる。その結果、オートポジショニング制御時において、高精度な位置制御を行うことができる。これらにより、Ｘ線管１１を自動で移動させる際に精度よく移動させることができるとともに、Ｘ線管１１を手動により移動させる際に操作性が低下するのを抑制することができる。また、制御部３は、手動により移動体１を移動させる操作を行うための操作の検出の有無に基づいて、モード切替制御を行うので、操作者が手動により移動体１を移動させる操作を行うための操作を行ったか否かにより、モード切替制御が行われる。これにより、操作者は、手動により移動体１を移動させる操作を行う場合に、確実にトルク制御モードに切り替えることができる。その結果、制御モードの切り替えを容易に行うことができる。
【００７８】
また、本実施形態では、所定方向（Ｘ、Ｙ、Ｚ、η、θ方向）における、移動体１の移動を許可する状態と移動を禁止する状態とを切り替える移動可否切替部６をさらに備え、制御部３は、手動により移動体１を移動させる操作を行うための操作の検出の有無としての移動可否切替部６の切り替え操作を検出したことに基づいて、モード切替制御を行うように構成されている。これにより、移動を許可する状態に切り替える操作を行うことにより、制御モードも、トルク制御モードに切り替えることができる。また、移動を禁止する状態に切り替える操作を行うことにより、制御モードも、位置制御モードに切り替えることができる。その結果、制御モードを切り替えるための操作を別途行う場合に比べて、撮影手順（操作者の作業負担）が増加するのを抑制することができる。
【００７９】
また、本実施形態では、移動体１に設けられた手動により移動体１を移動させる操作の際に把持する把持部１４と、把持部１４の近傍に設けられた複数のボタン１３とをさらに備え、制御部３は、ボタン１３の押下により、移動可否切替部６の切り替えとトルク制御モードに切り替えるモード切替制御を行い、ボタン１３の押下の解除により、移動可否切替部６の切り替えと位置制御モードに切り替えるモード切替制御を行うように構成されている。これにより、制御モードを切り替えるために別途ボタン１３を設ける場合に比べて、部品点数が増加するのを抑制することができるとともに、装置構成が複雑化するのを抑制することができる。
【００８０】
また、本実施形態では、制御部３は、手動により移動体１を移動させる操作を行うための操作の検出の有無としての操作力検出部（力覚センサ１２）の操作力検出の有無に基づいて、モード切替制御を行うように構成されている。これにより、手動により移動体１を移動させるだけで制御モードを切り替えることができるので、制御モードを切り替えるために別途ボタン１３を設ける場合と異なり、部品点数が増加するのを抑制することができるとともに、装置構成が複雑化するのを抑制することができる。
【００８１】
また、本実施形態では、移動機構２は、複数のレールを含むガイド部２２と、上下方向およびガイド部２２に沿った左右方向に移動体１を移動可能に支持する移動体支持部２１と、を含み、制御部３は、トルク制御モードにおいて、移動体１へ付与するアシスト量を変化させるようにモータ５のトルクを制御して上下左右方向に移動体支持部２１を移動させ、位置制御モードにおいて、移動体１の現在位置と移動目的位置とに基づいて移動体１を上下左右方向に移動させるようにモータ５を制御して移動体支持部２１を移動させるように構成されている。これにより、移動体１を支持している移動体支持部２１が、ガイド部２２のレールに沿って、移動するので、移動体１および移動体支持部２１を安定して移動させることができる。また、移動体１および移動体支持部２１の重量が重い場合であっても、移動体１および移動体支持部２１をガイド部２２のレールに沿って、移動させることができるので、手動により移動体１を移動させる操作の際にも移動体１および移動体支持部２１を容易に移動させることができる。
【００８２】
また、本実施形態では、移動体１の移動の操作を行うための入力装置（リモコン４）をさらに備え、制御部３は、位置制御モードにおいて、入力装置（リモコン４）の操作に基づいて、移動体１をあらかじめ登録された位置に自動的に移動させるオートポジショニング制御を行うように構成されている。これにより、高精度な位置制御が可能な位置制御モードに切り替えた状態でオートポジショニング制御を行うことができるので、操作者は、移動体１を容易かつ高精度に目的位置に移動させることができる。
【００８３】
また、本実施形態では、モータ５は、移動体１へ付与するアシスト量を変化させるようにモータ５のトルクを制御するトルク制御モードと、移動体１の現在位置と移動目的位置とに基づいて移動体１を移動させるようにモータ５を制御する位置制御モードとを切り替え可能なサーボモータを含み、制御部３は、手動により移動体１を移動させる操作を行うための操作の検出の有無に基づいて、モータ５（サーボモータ）のトルク制御モードと位置制御モードとを切り替えるように構成されている。これにより、トルク制御モードと位置制御モードとの駆動を共通のモータ５（サーボモータ）により、行うことができるので、トルク制御モードおよび位置制御モード毎にモータ５を別個に設ける場合と比べて、部品点数が増加するのを抑制することができるとともに、装置構成が複雑化するのを抑制することができる。
【００８４】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８５】
上記実施形態では、本発明のＸ線撮影装置１００を天井懸垂型のＸ線撮影装置としたが、本発明はこれに限られない。つまり、本発明を、Ｃアーム式のＸ線撮影装置に適用してもよく、近接透視台のように、Ｘ線検出器を手動で移動させるＸ線撮影装置に本発明を適用してもよい。
【００８６】
また、上記実施形態では、Ｘ線管１１が移動体１に設けられた構成を示したが、本発明はこれに限られない。本発明では、Ｘ線検出器が移動体１に設けられたＸ線撮影装置でもよい。
【００８７】
また、上記実施形態では、ボタン１３を物理ボタンで示したが、本発明はこれに限られない。本発明では、ボタンは、タッチパネルに表示されるボタンでもよい。
【００８８】
また、上記実施形態では、制御部３が撮影室１０１の外部に配置されている（設けられている）例を示したが、本発明はこれに限られない。本発明では、制御部は、撮影室の内部に配置されてよいし、移動体や移動機構に内蔵されていてもよい。
【００８９】
また、上記実施形態では、入力装置をリモコン４で構成されている例を示したが、本発明はこれに限られない。本発明では、入力装置は、マウスやキーボードなどの入力装置により構成されていてもよい。
【００９０】
また、上記実施形態では、共通のモータ５（サーボモータ）が、トルク制御モードと位置制御モードとの両方で駆動する例を示したが、本発明はこれに限られない。本発明では、トルク制御モードと位置制御モードとのモード切り替えにより、それぞれ異なるモータが駆動するように構成してもよい。
【００９１】
また、上記実施形態では、位置制御モード時において、オートポジショニング制御を行う例を示したが、本発明はこれに限られない。本発明では、位置制御モード時に、長尺撮影および断層撮影などを行ってもよい。
【００９２】
また、上記実施形態では、制御部３が、移動可否切替部６の切り替え操作の有無を、モード切替制御を行うための操作（手動により移動体１を移動させる操作）の有無とする例を示したが、本発明はこれに限られない。本発明では、制御部は、力覚センサによる操作力が検出の有無を、モード切替制御を行うための操作の有無として、モード切替制御を行ってもよい。
【００９３】
また、上記実施形態では、位置検出部７は、ポテンショメータを含んだ構成を示したが、本発明はこれに限られない。本発明では、たとえば、エンコーダやレーザ測距センサを位置検出部に含んでもよい。
【００９４】
また、上記実施形態では、説明の便宜上、本発明の制御部３の処理を処理フローに沿って順番に処理を行うフロー駆動型のフローチャートを用いて説明したが、本発明はこれに限られない。本発明では、処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９５】
１  移動体
２  移動機構
３  制御部
４  リモコン（入力装置）
５  モータ
６  移動可否切替部
１０  Ｘ線検出器
１１  Ｘ線管
１２  力覚センサ（操作力検出部）
１３  ボタン
１４  把持部
２１  移動体支持部
２２  ガイド部
１００  Ｘ線撮影装置
２００  被検体
【図１】
2020110234.tif 000003
【図２】
2020110234.tif 000004
【図３】
2020110234.tif 000005
【図４】
2020110234.tif 000006
【図５】
2020110234.tif 000007
【図６】
2020110234.tif 000008